(57)【要約】      （修正有）【課題】油煙や異臭を除去し、ビタミンＣ粒子を放出するキッチン用埋め込み式多機能空気清浄機を提供する。【解決手段】空気入力端１０２と、空気出力端１０４と、を有し、内部に気体通路を形成し、気体通路の両端面はそれぞれ空気入力端と空気出力端に接続するケーシング１０と、空気入力端に設ける前フィルタ１１と、気体通路の前段に設ける静電集塵機１２と、気体通路の後段に設けられ、空気入力端より風を気体通路経由し空気出力端に誘導して放出する循環機１３と、気体通路の後段に設ける光触媒モジュール１４と、空気出力端に設けるビタミンＣフィルタ１５と、を備える。【選択図】図１
0003178425.tif 000002
【実用新案登録請求の範囲】
【請求項１】
キッチンに適用する埋め込み式多機能空気清浄機であって、
空気入力端と、空気出力端と、を有し、内部に気体通路を形成され、前記気体通路の両端面はそれぞれ前記空気入力端と前記空気出力端と接続するケーシングと、
前記空気入力端に設ける前フィルタと、
前記気体通路の前段に設ける静電集塵機と、
前記気体通路の後段に設けられ、前記空気入力端より気体を誘導し前記空気出力端に放出させる循環装置と、
前記気体通路の後段に設ける光触媒モジュールと、
前記空気出力端に設けるビタミンＣフィルタと、を備える。
【請求項２】
前記光触媒モジュールは、
ＵＶ殺菌灯と、
複合式活性炭素光触媒フィルタと、
を有することを特徴とする、請求項１記載の空気清浄機。
【請求項３】
前記前フィルタは三層交差するアルミ網構造であることを特徴とする、請求項２記載の空気清浄機。
【請求項４】
無線信号を受信して、前記空気清浄機稼働の電源をオンとオフ信号を受信する無線受信装置をさらに有することを特徴とする、請求項１記載の空気清浄機。
【請求項５】
前記ケーシングに内設し、マイナスイオンを放出するマイナスイオン発生器をさらに有することを特徴とする、請求項１記載の空気清浄機。
【請求項６】
さらに磁性アクリル板と、
ステンレスパネルと、
を有し、前記アクリル板は前記ケーシングの前記空気入出力端に接続され、
前記ステンレスパネルは磁性により前記アクリル板に吸着することを特徴とする、請求項１記載の空気清浄機。
【請求項７】
前記ケ―シングを支えて固定する一対の固定ラックをさらに有することを特徴とする、請求項１記載の空気清浄機。
【考案の詳細な説明】
【技術分野】
【０００１】
本考案は空気清浄機に関し、特にキッチンに適用する埋め込み式多機能空気清浄機に関する。
【背景技術】
【０００２】
健康意識が台頭するいまは、多くの人は外食をやめて自宅のキッチンで摂生スタイルの料理を作るようになっている。しかし、皮肉なことは食物の栄養は改善されているが、肺ガンという危険にさらす恐れがある。一例として、キッチンの油煙に含む一酸化炭素、多環芳香族、複素環式アミン、ニトロ多環式芳香族炭化水素、たばこなどなどは危険度の高い発癌物質である。
【考案の概要】
【考案が解決しようとする課題】
【０００３】
いまのところ、油煙問題について、低減または排出するため、キッチン排気装置が取り付けられている。
しかし、キッチン排気装置は吸引力不足問題のほか、使用の際に瞬間的に発生する油煙の排出に止まる。さらに、単純に一般の開放式調理器具は適用した場合、蒸し具またはオーブンなどの調理器具には、使用できない。
また、キッチンの空間において料理の過程で発生するものは不潔な空気粒子だけでなく、食品廃棄物による汚染も注意必要がある。一般の食品廃棄物の水分は約８５％以上と高く、しかも腐りやすい、臭気を発する物質のため、バイ菌が繁殖しやすく、病気が移りやすい。
よって、一般の家庭主婦が長時間にこのような環境にいると、油煙により発癌の確率が高くなるほか、食品廃棄物のバイ菌によって、病気にかかりやすくなり、長時間に油煙にかかった環境にいることで、肌の老化現象が著しくなる。
したがって、考案者は、簡単にキッチンに取り付けることができ、全体的に油煙を有効に除去可能なキッチンに適用する埋め込み式多機能空気清浄機を提供する。さらに、ビタミンＣフィルタを搭載することによって、バイ菌の繁殖を抑制され、体の免疫力を強化し、肌の老化を防止することができる。また、キッチンの長時間使用者または家庭主婦に健康かつ安全な摂生環境を提供できる。
【課題を解決するための手段】
【０００４】
前述課題について、本考案の目的は油煙、異臭を除去し、かつマイナスイオンを提供し、ビタミンＣ粒子を空気中に放出する多機能空気清浄機を提供することによって、体の免疫力強化、肌の老化を防止し、キッチンの長時間使用者または家庭主婦に健康、安全及び摂生環境を提供する。
【０００５】
前記目的を達成するため、本考案よりキッチンに適用する埋め込み式多機能空気清浄機を提供する。空気入力端と、空気出力端と、を有し、内部に気体通路を形成し、気体通路の両端面はそれぞれ空気入力端と空気出力端に接続するケーシングと、空気入力端に設ける前フィルタと、気体通路の前段に設ける静電集塵機と、気体通路の後段に設けられ、空気入力端より風を気体通路経由し空気出力端に誘導して放出する循環機と、気体通路の後段に設ける光触媒モジュールと、空気出力端に設けるビタミンＣフィルタと、を備える。
【０００６】
本考案の光触媒モジュールは、ＵＶ殺菌灯と、複合式活性炭素光触媒フィルタと、を有する。前フィルタの阻止効果を強化するため、他三層交差するアルミ網構造を使用することができる。
【０００７】
このほか、本考案の多機能空気清浄機は、キッチンの壁部または収容具に埋め込む。制御の便利を図るため、内部はさらに無線信号を受信して、空気清浄機稼働の電気をオンまたはオフを制御する無線受信装置を取り付けても良い。さらに、マイナスイオンを放出させるマイナスイオン発生器をケーシング内部に搭載しても良い。
【考案の効果】
【０００８】
これにより、本考案は空気中のダスト、粉体粒子、油煙及び家ダニを阻止及び捕捉できると共に、空気中のアレルギー原と黴菌を分解し、アレルギー性病気の発生を軽減できる。異臭の抑制も有効に達成できる。本考案によって濾過された清浄な気体にビタミンＣを添加して、再びキッチン空間に放出し、肌に保湿を与えて、老化を防止することができる。
【図面の簡単な説明】
【０００９】
【図１】本考案の好ましい実施例の外観構造組合せ図である。
【図２】本考案の好ましい実施例の外観構造分解図である。
【図３】本考案の好ましい実施例の気体フロー概略図である。
【図４】本考案の好ましい実施例の組合せ態様図である。
【考案を実施するための形態】
【００１０】
本考案の内容のさらなる理解を図るため、下記の説明に図面と組合せて、参考にしていただきたい。
【実施例】
【００１１】
図１、２、本考案の好ましい実施例の外観構造図と分解図を参照する。
本考案のキッチンに適用する埋め込み式多機能空気清浄機の好ましい実施例は、ケーシング１０と、前フィルタ１１と、静電集塵機１２、循環装置１３と、光触媒モジュール１４と、ビタミンＣフィルタ１５と、を備える。
ケーシング１０は例えば矩形箱状を形成し、キッチンの食器棚または壁部に埋め込んだあと、表面は直接に空気入力端１０２と、空気出力端１０４と接触され、ケーシング１０の内部に気体通路２０を形成する。
気体通路２０の両端部はそれぞれ空気入力端１０２及び空気出力端１０４と接続する。すなわち、キッチン空間の空気粒子は空気入力端１０２経由、ケーシング１０に進入したあと、気体通路２０の内部に流れて、最後は空気入力端１０４より排出して再びキッチン空間に戻す。気体通路２０の内部で流れるときは、例えば、前フィルタ１１、静電集塵機１２、循環装置１３、光触媒モジュール１４及びビタミンＣフィルタ１５など様々な濾過または浄化装置を通過される。
さらに、マイナスイオン発生器１７と組合せて、空気粒子の浄化効果を強化し、空気の品質を向上することもできる。このように、循環稼働を繰り返すことによって、より清浄な空気環境が得られる。
このほか、本考案の多機能空気清浄機は、キッチンの壁部または収容具に埋め込む。制御の便利を図るため、内部はさらに無線信号を受信して、空気清浄機稼働の電気をオンまたはオフを制御する無線受信装置１６を取り付けても良い。
【００１２】
合わせて図３、本考案の好ましい実施例の気体フロー概略図を参照する。
本実施例の空気浄化プロセスにおいて、キッチンの空気粒子は、まず空気入力端１０２に設ける前フィルタ１１を通過される。その機能は物理的な貫通方式によって、空気中大きい粒子のダストを直接に阻止する。
さらに阻止効果を強化するため、前フィルタ１１は三層交差するアルミ網構造を設けて、大きい粒子の通過を有効に防護する。引き続き、空気通路２０の前段に設ける静電集塵機１２を通過し、前フィルタ１１を通過した粒子が電荷区域を通過することによって、正負電を帯電させる。
さらに、電場効果を利用し、これらの大きい粒子を吸着及び集中させ、静電気による集塵効果を達成する。特に、この種の技術を適用すれば、空気中の微細な家ダニを捕捉でき、最小は０．２ミクロンの捕捉効果を有する。
【００１３】
さらに、空気循環効果を強化するため、多機能空気清浄機ケーシング１０内部に備える空気通路２０の後段に循環装置１３を設けられ、循環装置１３空気抽出効果を利用し、キッチンの空気粒子を高速に空気清浄機に吸入させ、前フィルタ１１及び静電集塵機１２を通過する微細の浮遊粒子を高速に循環装置１３に吸入して次の清浄設備に誘導される。
前述清浄プロセスの引き続きとして、気体通路２０の後段は光触媒モジュール１４設備を設けられている。係る光触媒モジュール１４はＵＶ殺菌灯１４０と複合式活性炭素光触媒フィルタ１４２からなる。光触媒は紫外光によって励起されると、反応性の強い過酸化分子、超酸化物及び活性酸素種を発生し、有機気体、臭気を二酸化炭素と水に分解することができる。
このほか、微生物が光触媒の表面に接触すると、強酸化分子によって微生物の外膜を破壊して、微生物を殺すことができる。
さらに、複合式活性炭素光触媒フィルタ１４２は絶えるに吸着された気体の分子の再吸着と再分解を繰り返すことによって、永久性の空気清浄効果を実現できる。本考案は活性炭素表面に満杯を吸着された後、臭気除去機能を失われて、絶えずに更新必要な一般品とは異なる。
【００１４】
本考案によって処理された後の空気分子を空気出力端１０４より出力するときは、空気出力端１０４に設けられたビタミンＣフィルタ１５を通過し、ビタミンＣフィルタ１５よりビタミンＣを放出して空気に散布し、肌を美しく、保湿、老化防止などの効果を達成できる。特に、マイナスイオン発生器１７を組合せて、マイナスイオンを放出し、処理後の空気をより鮮やか、より健康的である。
【００１５】
引き続き図４、本考案の好ましい実施例の組合せ態様図を参照する。
本考案の多機能空気清浄機は、いずれかの食器棚３０または壁面に埋め込み、一対の固定ラック４０を利用し、ケーシング１０を支えて、その上に固定することができる。引き続き、埋め込み式食器棚または壁内部の多機能空気清浄機ケーシング１０に備える空気入力端１０２と空気出力端１０４の表面に磁性アクリル板５０を追加して、締め付けその他方式により固定することができる。
最後に、ステンレスパネル６０を磁性吸着の特性を磁性アクリル板５０の上に吸着させる。これにより、本考案の多機能空気清浄機の取付けプロセスを完了する。
【００１６】
前述とおり、本考案よりキッチンに適用する埋め込み式多機能空気清浄機は、空気中のダスト、粉体粒子、油煙及び家ダニの阻止及び捕捉する機能を有し、空気中のアレルギー原と黴菌を分解することによって、アレルギー性病気の発生を低減することができる。異臭の抑制も有効に達成できる。本考案によって濾過された清浄な気体にビタミンをＣ添加して、再びキッチン空間に放出し、肌に保湿を与えて、老化を防止することができる。キッチンの長時間使用者または家庭主婦に健康かつ安全な摂生環境を提供できる。
【符号の説明】
【００１７】
１０          ハウジング
１０２        空気入力端
１０４        空気出力端
１１          前フィルタ
１２          静電集塵機
１３          循環装置
１４          光触媒モジュール
１４０        ＵＶ殺菌灯
１４２        複合式活性炭素光触媒フィルタ
１５          ビタミンＣフィルタ
１６          無線受信装置
１７          マイナスイオン発生器
２０          気体通路
３０          食器棚
４０          固定ラック
５０          磁性アクリル板
６０          ステンレスパネル
【図１】
0003178425.tif 000003
【図２】
0003178425.tif 000004
【図３】
0003178425.tif 000005
【図４】
0003178425.tif 000006